(57)【要約】      （修正有）【課題】ケーシングからフィルタユニットを取り出しやすくする。【解決手段】フィルタユニットは、フィルタ３１と駆動ローラ３６とを有し、ケーシング内に着脱可能に取り付けられる。支持部材は、フィルタユニット装着の際、手前からケーシング内へと差し込まれて、フィルタ使用位置に至ったフィルタユニットを支持する。ロック部材６０は、フィルタ使用位置にあるフィルタユニットを支持部材にロックするロック姿勢、支持部材に対するフィルタユニットのロックを解除するロック解除姿勢を採り得る。そして、ロック部材６０は、ロック姿勢を採る際、フィルタユニットを支持部材側に押さえる第１部分６３と、ロック解除姿勢を採る場合、駆動ローラ３６を手前方向へと移動させることで、フィルタユニットをフィルタ使用位置から手前方向に引き出す第２部分６４とを有する。【選択図】図９
2013242064.tif 000002
【特許請求の範囲】
【請求項１】
空気の吸込口（２１）が形成されたケーシング（１１）と、
前記ケーシング内に吸込まれた空気から塵埃を除去するフィルタ（３１）と、前記フィルタに接触しており前記フィルタを折り返すローラ（３６）とを有し、前記ケーシング内に着脱可能に取り付けられたフィルタユニット（３０）と、
前記フィルタユニット装着の際、手前から前記ケーシング内へと差し込まれて前記フィルタが前記吸込口を概ね覆うフィルタ使用位置に至った前記フィルタユニット、を支持する支持部材（５０）と、
前記フィルタ使用位置にある前記フィルタユニットを前記支持部材にロックするロック姿勢、及び前記支持部材に対する前記フィルタユニットのロックを解除するロック解除姿勢、を採り得るロック部材（６０）と、
を備え、
前記ロック部材（６０）は、
前記ロック姿勢を採る場合、前記フィルタユニットを前記支持部材側に押さえる第１部分（６３）と、
前記ロック解除姿勢を採る場合、前記ローラを前記手前方向へと移動させることで、前記フィルタユニットを前記フィルタ使用位置から前記手前方向に引き出す第２部分（６４）と、
を有する、
空調室内機（１００）。
【請求項２】
前記第１部分（６３）は、前記ロック解除姿勢を採る場合、前記フィルタユニットを押さえることを解除し、
前記第２部分（６４）は、前記ロック姿勢を採る場合、前記ローラを回転自在に前記支持部材に固定する、
請求項１に記載の空調室内機（１００）。
【請求項３】
前記ロック部材（６０）は、
前記ロック解除姿勢を採る場合に前記ローラを保持するローラ保持部分（６５）、
を更に有する、
請求項１または２に記載の空調室内機（１００）。
【請求項４】
前記第２部分（６４）は、
前記ローラの外周に沿って湾曲した形状を有しており、
前記ロック解除姿勢を採る場合、前記フィルタユニットが前記フィルタ使用位置にある時の前記ローラの回転軸（Ｐ１）と同一軸上ではない軸（Ｐ２）を中心として回動することで、前記ローラを前記手前方向へと押し出す、
請求項１から３のいずれか１項に記載の空調室内機（１００）。
【請求項５】
前記ロック姿勢を採る場合、前記第２部分（６４）の回動軸（Ｐ２）は、前記ローラの前記回転軸（Ｐ１）よりも前記手前方向に位置している、
請求項４に記載の空調室内機（１００）。
【請求項６】
前記フィルタ（３１）は環形状を有し、
前記ローラ（３６）は、前記フィルタの折り返し部分において前記フィルタに掛け渡されるようにして位置している、
請求項１から５のいずれかに１項に記載の空調室内機（１００）。
【請求項７】
前記ローラ（３６）は、回転によって前記フィルタを移動させるための力を前記フィルタに作用させる駆動ローラである、
請求項１から６のいずれか１項に記載の空調室内機（１００）。
【発明の詳細な説明】
【技術分野】
【０００１】
本発明は、空調室内機に関する。
【背景技術】
【０００２】
空気調和装置の室内機は、熱交換器や室内ファン等を備えている。熱交換器は、室内の空気を冷却または暖め、室内ファンは、室内の空気を熱交換器へと導入すると共に熱交換後の空気を室内へと戻すための空気流れを形成する。
【０００３】
また、室内機には、例えば特許文献１（特開２０１１−８０６３５号公報）に示されるように、熱交換器の表面に塵埃が付着しないようにするためのフィルタユニットを備えているものがある。特許文献１に係るフィルタユニットは、環形状のフィルタと、該フィルタが掛け渡されており該フィルタを支持しているメインフレームとを有している。更に、特許文献１に係る室内機は、ケーシング内部にてフィルタユニット自体を支持する支持部材を、更に備えている。
【発明の概要】
【発明が解決しようとする課題】
【０００４】
上記特許文献１に係るフィルタユニットは、例えばフィルタ清掃等のメンテナンスをユーザが行えるようにするため、ケーシング内に着脱自在に取り付けられる。そのため、フィルタユニットのメインフレームには、特許文献１に示されるように、ケーシング内からフィルタユニットを引き出し易くするための取っ手が形成されていることがある。
【０００５】
ところで、フィルタユニットは、安全性等の観点から、メンテナンス時以外においては、ロック部材によって支持部材にロックされていることが多い。この場合、ユーザは、まずはロック部材によるロックを解除した上で、取っ手を手前方向へ引く動作を行うことで、フィルタユニットをケーシングから取り出す。
【０００６】
しかしながら、ロック部材と取っ手との位置関係によっては、ロック部材がロック解除姿勢を採る際に、取っ手がロック部材に引っかかってしまい、フィルタユニットをケーシングから取り出しにくくなる虞がある。
【０００７】
そこで、本発明の課題は、ケーシングからフィルタユニットを取り出しやすくすることにある。
【課題を解決するための手段】
【０００８】
本発明の第１観点に係る空調室内機は、ケーシングと、フィルタユニットと、支持部材と、ロック部材とを備える。ケーシングには、空気の吸込口が形成されている。フィルタユニットは、フィルタとローラとを有し、ケーシング内に着脱可能に取り付けられている。フィルタは、ケーシング内に吸込まれた空気から塵埃を除去する。ローラは、フィルタに接触しており、フィルタを折り返す。支持部材は、フィルタユニット装着の際、手前からケーシング内へと差し込まれて、フィルタが吸込口を概ね覆うフィルタ使用位置に至ったフィルタユニットを支持する。ロック部材は、ロック姿勢及びロック解除姿勢を採り得る。ロック姿勢は、フィルタ使用位置にあるフィルタユニットを支持部材にロックする姿勢である。ロック解除姿勢は、支持部材に対するフィルタユニットのロックを解除する姿勢である。そして、ロック部材は、第１部分と第２部分とを有する。第１部分は、ロック姿勢を採る場合、フィルタユニットを支持部材側に押さえる部分である。第２部分は、ロック解除姿勢を採る場合、ローラを手前方向へと移動させることで、フィルタユニットをフィルタ使用位置から手前方向に引き出す部分である。
【０００９】
この空調室内機では、ロック部材がロック姿勢を解除すると、ロック部材の第２部分によってローラが手前方向へと押し出されるのに伴い、フィルタユニット自体が手前方向に移動してくる。これにより、例えばフィルタのメンテナンス時、フィルタとローラとで構成されるフィルタユニットをケーシングから取り出し易くなる。
【００１０】
本発明の第２観点に係る空調室内機は、第１観点に係る空調室内機において、第１部分は、ロック解除姿勢を採る場合、フィルタユニットを押さえることを解除する。第２部分は、ロック姿勢を採る場合、ローラを回転自在に支持部材に固定する。
【００１１】
これにより、ロック部材がロック姿勢を採る場合には、ローラは支持部材に対して移動を禁止された状態で回転するため、例えばフィルタを清掃する運転時には、フィルタを支持部材上にて移動させることができる。一方、ロック部材がロック解除姿勢を採る場合には、第１部分はフィルタユニットを押さえなくなるため、第２部分によって確実にフィルタユニットは手前方向へと引き出されるようになる。
【００１２】
本発明の第３観点に係る空調室内機は、第１観点または第２観点に係る空調室内機において、ロック部材は、ローラ保持部材を更に有する。ローラ保持部材は、ロック解除姿勢を採る場合に、ローラを保持する。
【００１３】
これにより、フィルタユニット取り出しの際、フィルタユニットは、手前方向に過剰に引き出されることなく、適切な量引き出された状態を保つことができる。
【００１４】
本発明の第４観点に係る空調室内機は、第１観点から第３観点のいずれかに係る空調室内機において、第２部分は、ローラの外周に沿って湾曲した形状を有している。そして、第２部分は、ロック解除姿勢を採る場合、フィルタユニットがフィルタ使用位置にある時のローラの回転軸と同一軸上ではない軸、を中心として回動することで、ローラを手前方向へと押し出す。
【００１５】
このような簡単な構成により、フィルタユニットを、確実に手前方向に引き出すことができる。
【００１６】
本発明の第５観点に係る空調室内機は、第４観点に係る空調室内機において、ロック姿勢を採る場合、第２部分の回動軸は、ローラの回転軸よりも手前方向に位置している。
【００１７】
これにより、ロック解除姿勢時、ローラは、確実に手前方向に押し出されるようになる。
【００１８】
本発明の第６観点に係る空調室内機は、第１観点から第５観点のいずれかに係る空調室内機において、フィルタは環形状を有している。そして、ローラは、フィルタの折り返し部分においてフィルタに掛け渡されるようにして位置している。
【００１９】
本発明に係る空調室内機は、環形状のフィルタにおいても適用可能である。
【００２０】
本発明の第７観点に係る空調室内機は、第１観点から第６観点のいずれかに係る空調室内機において、ローラは、回転によってフィルタを移動させるための力をフィルタに作用させる駆動ローラである。
【００２１】
これにより、フィルタは、駆動ローラによって移動することができる。
【発明の効果】
【００２２】
本発明の第１観点に係る空調室内機によると、フィルタユニットをケーシングから取り出し易くなる。
【００２３】
本発明の第２観点に係る空調室内機によると、ロック部材がロック姿勢を採る場合には、フィルタを支持部材上にて移動させることができる。また、ロック部材がロック解除姿勢を採る場合には、第２部分によって確実にフィルタユニットは手前方向へと引き出されるようになる。
【００２４】
本発明の第３観点に係る空調室内機によると、フィルタユニット取り出しの際、フィルタユニットは、手前方向に過剰に引き出されることなく、適切な量引き出された状態を保つことができる。
【００２５】
本発明の第４観点に係る空調室内機によると、簡単な構成により、フィルタユニットを、確実に手前方向に引き出すことができる。
【００２６】
本発明の第５観点に係る空調室内機によると、ロック解除姿勢時、ローラは、確実に手前方向に押し出されるようになる。
【００２７】
本発明の第６観点に係る空調室内機は、環形状のフィルタにおいても適用可能である。
【００２８】
本発明の第７観点に係る空調室内機によると、フィルタは、駆動ローラによって移動することができる。
【図面の簡単な説明】
【００２９】
【図１】本実施形態に係る空調室内機の外観図。
【図２】図１の空調室内機を、図１のＩＩ−ＩＩ線で切断した場合の断面図。
【図３】フィルタユニットの斜視図。
【図４】図２におけるフィルタの下部折り返し部分付近の拡大図。
【図５】清掃ユニットの概観図。
【図６】支持部材と支持部材付近に位置している熱交換器との概観図。
【図７】図６において、支持部材にフィルタユニットが装着された場合を示す図。
【図８】（ａ）ロック部材がロック姿勢を採る場合の、フィルタユニット及び支持部材を示す図。  （ｂ）ロック部材がロック解除姿勢を採っており、且つロック部材が支持部材に対して回動方向Ｒ１に回動した場合の、フィルタユニット及び支持部材を示す図。
【図９】（ａ）図８（ａ）において、フィルタユニット及び支持部材を側方から見た場合の図。  （ｂ）図８（ｂ）において、フィルタユニット及び支持部材を側方から見た場合の図。
【発明を実施するための形態】
【００３０】
以下、本発明に係る空調室内機について、図面を参照しつつ詳述する。なお、以下の実施形態は、本発明の具体例であって、本発明の技術的範囲を限定するものではない。
【００３１】
（１）空調室内機の構成
図１は、本発明の一実施形態に係る空調室内機１００の外観図である。この空調室内機１００は、室内の壁面に取り付けられており、室外に設置されている室外機（図示せず）と冷媒配管（図示せず）を介して互いに接続された、セパレートタイプの空調機の室内機である。空調室内機１００は、室内の冷房運転及び暖房運転に加え、フィルタ３１やブラシ４２（図４参照）を自動で清掃する自動清掃運転を行うことができる。
【００３２】
特に、本実施形態に係る空調室内機１００では、フィルタ３１の入念なる清掃及び交換等のメンテナンスの際、フィルタ３１のケーシング１１に対する着脱操作が大変簡単に行うことのできる構成が採用されている。この構成については、主に「（１−７）ロック部材」にて詳述する。
【００３３】
このような空調室内機１００は、図１〜４，８に示すように、主として、ケーシング１１と、室内熱交換器１３と、室内ファン１５と、フィルタユニット３０と、清掃ユニット４０と、支持部材５０と、ロック部材６０を備える。
【００３４】
尚、以下の説明においては、「上」「下」「左」「右」「正面」「背面」等の方向を示す表現を適宜用いているが、これらは、空調室内機１００が図１の状態で室内の壁面等に設置された状態での各方向を表す。
【００３５】
（１−１）ケーシング
ケーシング１１は、図１に示すように、左右方向（図１のＷ方向）に細長い箱状の形状を有している。具体的に、ケーシング１１は、図１，２に示すように、天面板１１ａ、前面板１１ｂ、背面板１１ｃ及び下面板１１ｄによって立体空間を形成し、その立体空間内に室内熱交換器１３、室内ファン１５、フィルタユニット３０、清掃ユニット４０、支持部材５０及びロック部材６０が収納されている。天面板１１ａは、主として、ケーシング１１の天面を構成し、前面板１１ｂは、主として、ケーシング１１の正面を構成する。なお、前面板１１ｂは、その上端が天面板１１ａの一部分にヒンジ式にて回動自在に支持されている。背面板１１ｃは、主として、ケーシング１１の背面を構成し、下面板１１ｄは、主として、ケーシング１１の下面を構成している。背面板１１ｃが、室内の壁面に設置された取り付け板（図示せず）にビス止め等によって取り付けられることで、空調室内機１００は、室内の壁面に設置されることとなる。
【００３６】
そして、ケーシング１１の天面板１１ａには、該面１１ａの前側から後側にかけて吸込口２１が設けられている。この吸込口２１からは、該吸込口２１近傍の室内空気が、室内ファン１５の駆動によってケーシング１１内部へと取り込まれ、室内熱交換器１３の前側熱交換部１３ａ（後述）及び後側熱交換部１３ｂ（後述）それぞれに送られる。なお、図２の点線の矢印Ａは、一例として、吸込口２１及び前側熱交換部１３ａを介して室内ファン１５へと送られる室内空気の流れを表している。
【００３７】
ケーシング１１の下面板１１ｄには、吹出口２２が形成されている。吹出口２２からは、吸込口２１から吸い込まれ室内熱交換器１３にて熱交換された後の室内空気が、室内へと吹き出される。図２の点線の矢印Ｂは、吹出口２２を介して室内へと送られる空気の流れを表している。
【００３８】
なお、吹出口２２付近には、水平フラップ２３がケーシング１１に対して回動自在に取り付けられている。水平フラップ２３は、フラップ用モータ（図示せず）によって駆動することができ、空調室内機１００の運転状態に応じて吹出口２２を開閉する。更に、水平フラップ２３は、吹出口２２から吹き出された室内空気がユーザの所望する方向へと案内されるように、室内空気の吹き出し方向を変更する役割を担う。
【００３９】
（１−２）室内熱交換器
室内熱交換器１３は、複数のフィンと複数の伝熱管とで構成されている。室内熱交換器１３は、空調室内機１００の運転状態に応じて蒸発器または凝縮器として機能することで、冷媒配管内を通過する冷媒と該熱交換器１３を通過する空気との間で熱交換を行わせる。
【００４０】
特に、室内熱交換器１３は、図２に示すように、側面視において両端が下方に向いて屈曲する略逆Ｖ字型の形状を有し、この略Ｖ字型に囲まれるようにして室内ファン１５が位置している。このような形状を有する室内熱交換器１３のうち、室内ファン１５の前方を覆う熱交換部を、前側熱交換部１３ａといい、室内ファン１５の後側を覆う熱交換部を、後側熱交換部１３ｂという。即ち、本実施形態に係る室内熱交換器１３は、前側熱交換部１３ａと後側熱交換部１３ｂとが頂点１３ｃにおいて接続された略逆Ｖ字形状を有している。
【００４１】
（１−３）室内ファン
室内ファン１５は、ケーシング１１の内部に位置しており、図１に示すＷ方向に細長い略円筒形状のクロスフローファンである。室内ファン１５は、駆動することで、吸込口２１から吸い込まれて室内熱交換器１３に流入した後、該熱交換器１３を通過して吹出口２２から室内へと供給されるといった、室内空気の流れを生成する（図２の点線の矢印Ａ，Ｂを参照）。
【００４２】
この室内ファン１５の駆動軸は、室内ファンモータ（図示せず）の出力軸に接続されている。室内ファンモータが駆動した際、モータの出力が該モータの出力軸を介して室内ファン１５の駆動軸へと伝達されることで、室内ファン１５は駆動することができる。
【００４３】
（１−４）フィルタユニット
フィルタユニット３０は、図２に示すように、ケーシング１１内において、ケーシング１１の天面板１１ａと室内熱交換器１３との間、つまりは室内熱交換器１３に対して室内空気の流れ方向の上流側に配置されると共に、ケーシング１１内部に着脱可能に装着される。フィルタユニット３０は、室内熱交換器１３の表面が空気中の塵埃によって汚染されるのをなるべく防ぐためのものであって、図３に示すように、主として、フィルタ３１、メインフレーム３２、及び駆動ローラ３６（ローラに相当）を有する。
【００４４】
（１−４−１）フィルタ
フィルタ３１は、冷房運転及び暖房運転が行われる際、主に前側熱交換部１３ａ及び後側熱交換部１３ｂのうち吸込口２１に対応する部分を覆うように位置している。フィルタ３１は、ケーシング１１の外部から吸込口２１を介して吸い込まれてきた室内空気から塵埃を除去するものであって、例えば樹脂製の糸で平織りまたは綾織された網で構成されている。フィルタ３１は、図２に示すように、環形状に形成されており、図３に示すように、フィルタユニット３０の正面視において右側と左側とに、並ぶようにして２つ設けられている。
【００４５】
なお、フィルタ３１には、一般のフィルタに見られるような補強用の縁やリブが設けられていないため、フィルタ３１は、自身で安定した形状を維持することができない。そのため、フィルタ３１は、以下に述べるメインフレーム３２によって支持されることで、環形状の形状を保っている。
【００４６】
（１−４−２）メインフレーム
メインフレーム３２は、図２に示すように、室内熱交換器１３の前方及び上方を覆うように屈曲した形状を有しており、図３に示すように、主にフィルタユニット３０の正面視において右側に位置する右側フレーム部材３３と、左側に位置する左側フレーム部材３４とを有する。各フレーム部材３３，３４には、いずれも室内熱交換器１３に対向する部分において、格子状の開口が設けられている。
【００４７】
また、各フレーム部材３３，３４の正面における左右端部３３ａ，３３ｂ，３４ａ，３４ｂそれぞれには、複数の突起ｕｎ１が所定間隔を空けて並んで形成されている。右側フレーム部材３３における左端部３３ａと右端部３３ｂとの間の最短距離、ならびに、左側フレーム部材３４における左端部３４ａと右端部３４ｂとの間の最短距離は、フィルタ３１の幅よりも少し大きい。従って、環形状のフィルタ３１がメインフレーム３２に掛け渡された時、フィルタ３１の端面は、各突起ｕｎ１と対峙する。この突起ｕｎ１により、フィルタ３１の両端が各フレーム部材３３，３４に沿って案内されるため、フィルタ３１の蛇行が防止される。
【００４８】
また、メインフレーム３２は、外側桟３５ａを有している。外側桟３５ａは、フィルタ３１下部の折り返し部分に位置するように、各フレーム部材３３，３４の下端部に取り付けられている。つまり、外側桟３５ａは、フィルタ３１を挟んで駆動ローラ３６と対峙する。この外側桟３５ａにより、フィルタ３１がたとえ波打ったとしても、フィルタ３１は、他の部材と接触する前に外側桟３５ａに接触することとなる。そのため、仮に駆動ローラ３６の近傍に別の可動部材（例えば、図４のブラシ４３）が存在している場合でも、フィルタ３１は、可動部材に噛み込まれることなく、スムーズに移動することが可能となる。
【００４９】
更に、メインフレーム３２には、取っ手３５ｂが形成されている。取っ手３５ｂは、右側フレーム部材３３及び左側フレーム部材３４の左右端部３３ａ，３３ｂ，３４ａ，３４ｂそれぞれにおいて、１つずつ設けられている。特に、取っ手３５ｂは、各左右端部３３ａ，３３ｂ，３４ａ，３４ｂのうち、フィルタユニット３０の前側端部３０ａ側、つまりは前側熱交換部１３ａの上方となる部分に設けられている。取っ手３５ｂは、フィルタユニット３０をケーシング１１から取り出す際に、ユーザによってフィルタユニット３０を引っ張り出しやすくするための要素である。従って、取っ手３５ｂは、フィルタユニット３０がケーシング１１内に装着された際、ケーシング１１の正面に近いメインフレーム３２の部分に位置することとなる。
【００５０】
（１−４−３）駆動ローラ
駆動ローラ３６は、フィルタ３１に接触しており、フィルタ３１を折り返している。具体的には、駆動ローラ３６は、フィルタ３１下部の折り返し部分において、環形状のフィルタ３１に掛け渡されるようにして位置している。このような駆動ローラ３６は、フィルタ３１をメインフレーム３２上を周回させるためのものであって、図６，７にて示されるフィルタ用モータ３６ａによって回転することができる。
【００５１】
より詳細には、駆動ローラ３６の回転軸Ｐ１は、室内ファン１５と同様に図１に示すＷ方向に細長く延びている。駆動ローラ３６の回転軸Ｐ１の端部には、ローラギア（図示せず）が固定されている。駆動ローラ３６の周面には、いわゆるパイル織りされた織物基布が貼り付けられている。駆動ローラ３６の周面における織物基布は、フィルタ３１の網目に張り込んでおり、駆動ローラ３６とフィルタ３１との間には滑りが生じ難くなっている。駆動ローラ３６の回転軸Ｐ１には、フィルタ用モータ３６ａの出力軸が接続されている。そのため、フィルタ用モータ３６ａが回転すると、その回転が駆動ローラ３６の回転軸Ｐ１に伝達され、駆動ローラ３６が回転する。これにより、フィルタ３１は、メインフレーム３２に沿って周回することができるようになる。即ち、駆動ローラ３６は、該ローラ３６自身が回転することによって、フィルタ３１を移動させるための力をフィルタ３１に作用させると言うことができる。
【００５２】
なお、フィルタ用モータ３６ａは、例えばステッピングモータで構成されており、ＣＷ（Ｃｌｏｃｋ  Ｗｉｓｅ）またはＣＣＷ（Ｃｏｕｎｔｅｒ  Ｃｌｏｃｋ  Ｗｉｓｅ）方向へと回転することが可能である。これにより、フィルタ３１は、図４に示すように、第１方向または第２方向へと移動することができる。また、フィルタ用モータ３６ａの回転方向及び回転数は、図示しない駆動制御装置によって駆動制御される。これにより、フィルタ３１がどの程度周回するか（つまり、フィルタ３１の移動距離）が制御される。
【００５３】
（１−５）清掃ユニット
清掃ユニット４０は、図２，４に示すように、ケーシング１１内部において、フィルタ３１の下部の折り返し部分近傍に配置されている。清掃ユニット４０は、フィルタ３１及びブラシ４２を清掃するためのものであって、図４〜５に示すように、清掃ユニット用フレーム４１、ブラシ４２、ブラシ清掃部４３、塵埃受け部４４及び圧縮ローラ４５を有している。
【００５４】
（１−５−１）清掃ユニット用フレーム
清掃ユニット用フレーム４１は、図５に示すように、空調室内機１００の長手方向（図１のＷ方向）に沿った細長い形状を有しており、その内部にはブラシ４２が着脱可能に取り付けられている。また、図４に示すように、清掃ユニット用フレーム４１の上面には、開口部４１ａが形成されており、清掃ユニット用フレーム４１は、フィルタ３１の下部の折り返し部分の更に下方に位置している。そのため、該フレーム４１の開口部４１ａを介してブラシ４２の一部が、清掃ユニット用フレーム４１の上方の空間に露出しつつ、且つ開口部４１ａを介してフィルタ３１に直接接触できるようになっている。
【００５５】
（１−５−２）ブラシ
ブラシ４２は、図５に示すように、清掃ユニット用フレーム４１と同様、空調室内機１００の長手方向に沿って細長い形状を有しており、長手方向に直交する断面が略円形の形状を有している。ブラシ４２は、フィルタ３１に直接接触することにより、フィルタ３１から塵埃を除去する。このようなブラシ４２は、図４に示すように、芯材４２ｂと、芯材４２ｂの周囲に設けられた複数の線材４２ｃとによって構成されている。線材４２ｃは、フィルタ３１に接触可能な長さを有している。また、ブラシ４２は、清掃ユニット用フレーム４１に対して回転可能に設けられている。
【００５６】
このようなブラシ４２は、図６，７にて示されるブラシ用モータ４２ａを駆動源として回転する。ブラシ用モータ４２ａは、フィルタ用モータ３６ａと同様、支持部材５０に支持されており、例えばステッピングモータで構成される。ブラシ用モータ４２ａの出力軸は、ブラシ４２の回転軸に接続されており、ブラシ４２は、ステッピングモータが駆動することで回転することができる。例えば、ブラシ４２が回転する際は、フィルタ３１の移動が停止し、逆にフィルタ３１が移動している際は、ブラシ４２は回転を停止した状態となる。
【００５７】
（１−５−３）ブラシ清掃部
ブラシ清掃部４３は、図５に示すように、清掃ユニット用フレーム４１に取り付けられており、櫛状の形状を有している。ブラシ清掃部４３は、図４に示すように、ブラシ４２の回転軸方向に沿って配置され、且つ清掃ユニット用フレーム４１の背面からブラシ４２に向けて突出しており、更にはブラシ４２の回転方向（つまり、図４のブラシ４２部分における矢印の方向）に逆らうようにして傾斜している。これにより、ブラシ清掃部４３は、ブラシ４２が図４の矢印の方向に回転する場合、ブラシ４２の線材４２ｃの間の塵埃を掻き落とすことができる。
【００５８】
（１−５−４）塵埃受け部
塵埃受け部４４は、図２，４に示すように、清掃ユニット用フレーム４１に取り付けられた状態でブラシ４２及びブラシ清掃部４３の下方に配置される。塵埃受け部４４内には、ブラシ清掃部４３によってブラシ４２から書き落とされた塵埃が溜められる。また、塵埃受け部４４は、清掃ユニット用フレーム４１に対し着脱可能に取り付けられているため、ユーザは、塵埃受け部４４内にたまった塵埃を簡単に廃棄することができる。
【００５９】
（１−５−５）圧縮ローラ
圧縮ローラ４５は、円柱状の棒状部材であって、清掃ユニット用フレーム４１に回転可能に支持されている。ここでは、圧縮ローラ４５は、図４に示すように、ブラシ清掃部４３の付近において、ブラシ４２に接触するようにして位置している。これにより、ブラシ４２が図４の矢印の方向へと回転した際、このブラシ４２の回転に追従して、ブラシ４２の回転方向とは逆の方向に回転する。この圧縮ローラ４５により、塵埃受け部４４内に溜まった塵埃は圧縮されるため、塵埃受け部４４内には塵埃が比較的多く入るようになる。更に、圧縮ローラ４５の回転により、比較的粘度の高い塵埃は、塵埃受け部４４へと確実に送られる。
【００６０】
（１−６）支持部材
支持部材５０は、図２，６，７に示すように、室内熱交換器１３の上方に位置しており、フィルタ用モータ３６ａ及びブラシ用モータ４２ａを支持する。フィルタユニット３０のケーシング１１への装着の際、フィルタユニット３０は、支持部材５０に沿ってケーシング１１の正面側（つまり、図１の手前側）から内部へと差し込まれることとなるが、支持部材５０は、該ユニット３０をケーシング１１の背面側へと導き、やがてフィルタ使用位置に至ったフィルタユニット３０を支持する（図７）。ここで、フィルタ使用位置とは、ケーシング１１の天面板１１ａに形成された吸込口２１を、フィルタ３１が概ね覆っている位置をいい（即ち、図２，７のフィルタ３１の位置）、このようにフィルタユニット３０が位置している状態で、空調室内機１００は、冷房運転、暖房運転、自動清掃運転等の各種運転を行う。
【００６１】
このような支持部材５０は、図２，６，７に示すように、室内熱交換器１３の形状に沿って室内ファン１５を囲う形状を有している。詳細には、支持部材５０は、前後方向における後側の部分５０ｂがケーシング１１の天面板１１ａに沿って延びており、前側部分５０ａが、室内熱交換器１３の頂点１３ｃよりも下方に位置した形状を有している。そして、支持部材５０は、図６，７に示すように、該部材５０の左右方向のほぼ中央を前後方向に延びる仕切部５１を挟んで位置する左側部分５２と右側部分５３とを有する。そのため、図７に示すように、フィルタユニット３０がフィルタ使用位置にある場合、支持部材５０の左側部分５２は、フィルタユニット３０における左側フレーム部材３４とフィルタ３１を挟んで対向し、支持部材５０の右側部分５３は、右側フレーム部材３３とフィルタ３１を挟んで対向することとなる。
【００６２】
フィルタユニット３０は、ケーシング１１への装着の際、図３におけるフィルタユニット３０の後側端部３０ｂがまずは図６の状態にてケーシング１１の正面側からケーシング１１内部へと差し込まれ、該端部３０ｂが支持部材５０の後側端部５０ｃ付近に至るまで、支持部材５０の左側部分５２及び右側部分５３の上面に沿ってスライドする。フィルタユニット３０の後側端部３０ｂが支持部材５０の後側端部５０ｃ付近に至ると、フィルタユニット３０の前側端部３０ａ（図３）は、支持部材５０の前側部分５０ａに至る。これにより、フィルタユニット３０は、図７に示すように支持部材５０の上面に装着される。
【００６３】
そのため、図６，７に示すように、左側部分５２及び右側部分５３それぞれの左右方向における端部５２ａ，５２ｂ，５３ａ，５３ｂには、フィルタユニット３０の端面が対峙すると共に該ユニット３０がスライドするためのスライド機構が設けられている。スライド機構は、詳細には、溝や突起等で形成されている。
【００６４】
（１−７）ロック部材
ロック部材６０は、フィルタユニット３０を支持部材５０にロックさせるための機構であって、図６〜８に示すように、支持部材５０の前側部分５０ａに取り付けられている。ロック部材６０は、図８，９に示すように、フィルタ使用位置にあるフィルタユニット３０を支持部材５０にロックさせるロック姿勢と、支持部材５０に対するフィルタユニット３０のロックを解除するロック解除姿勢を採り得る。
【００６５】
ロック部材６０は、図６〜８に示すように、支持部材５０の左側部分５２及び右側部分５３それぞれにおいて、左側部分５２及び右側部分５３の左右方向における各端部５２ａ，５２ｂ，５３ａ，５３ｂにて、支持部材５０から該部材５０の外方へと突出した突出部６１と、各部分５２，５３において突出部６１同士を繋ぐようにして、駆動ローラ３６に沿って細長く伸びる延設部６２とで構成される形状を有している。そして、突出部６１の根元部分は、支持部材５０に対し回動可能に取り付けられており、これにより突出部６１における突出方向先端側及び延設部６２は、突出部６１の根元部分を中心として図８（ａ）における回動方向Ｒ１または図８（ｂ）における回動方向Ｒ２へと回動することが可能になっている。
【００６６】
よって、ロック部材６０は、ロック姿勢を採る場合には、図８（ａ）に示すように、突出部６１及び延設部６２がフィルタユニット３０の駆動ローラ３６の上方付近に位置する状態となり、フィルタユニット３０を支持部材５０に固定する。また、ロック部材６０がロック解除姿勢を採る場合、フィルタユニット３０は支持部材５０に対し移動可能となり、図８（ｂ）に示すように、突出部６１及び延設部６２が駆動ローラ３６の下方付近に位置する状態となる。
【００６７】
特に、本実施形態に係るロック部材６０は、ロック姿勢からロック姿勢へと採り得る姿勢が変更したことに伴い、フィルタユニット３０が手前方向に自動的に所定距離だけ飛び出してくる構成を有している（図８（ｂ）参照）。このような構成を実現するべく、ロック部材６０は、図９に示すように、第１部分６３、第２部分６４、及び第３部分（ローラ保持部分に相当）６５を有する。
【００６８】
なお、図８は、支持部材５０上に位置するフィルタユニット３０を含む空調室内機１００の内部構造のうち、支持部材５０及びフィルタユニット３０のみを抜き出すと共に、これらをフィルタユニット３０の上方から見た場合を表している。特に、支持部材５０の左側部分５２及び右側部分５３は左右対称であるため、図８では、説明の便宜上、そのうちの１つの部分５２（もしくは部分５３）とこの上に位置するフィルタユニット３０のみを、表している。図９は、図８のフィルタユニット３０及び支持部材５０を側方から見た場合の図であるが、説明の便宜上、フィルタユニット３０に含まれるフィルタ３１及び駆動ローラ３６と、ロック部材６０とのみを抜き出して表している。
【００６９】
（１−７−１）第１部分
第１部分６３は、ロック部材６０がロック姿勢を採る場合に、フィルタユニット３０を支持部材５０側に押さえる部分である。即ち、第１部分６３は、突出部６１及び延設部６２のうち、ロック部材６０（より詳細には、突出部６１における突出方向先端側及び延設部６２）が回動方向Ｒ２に回動することでロック姿勢を採った場合に、フィルタ３１に直接接触するフィルタ３１側の部分であると言うことができる。
【００７０】
また、第１部分６３は、ロック部材６０がロック解除姿勢を採る場合、フィルタユニット３０を押さえることを解除する。つまり、ロック部材６０（より詳細には、突出部６１における突出方向先端側及び延設部６２）が回動方向Ｒ２とは逆の回動方向Ｒ１に回動することで、それまでフィルタ３１に直接接触していた第１部分６３は、フィルタ３１から離れるようになる。
【００７１】
ここで、フィルタユニット３０がフィルタ使用位置にある場合の駆動ローラ３６の回転中心を、図９に示すように“回転軸Ｐ１”と表す。すると、ロック姿勢時を表す図９（ａ）では、第１部分６３は、駆動ローラ３６の回転軸Ｐ１の上方に位置している。逆に、ロック解除姿勢時を表す図９（ｂ）では、第１部分６３は、駆動ローラ３６の回転軸Ｐ１の下方に位置している。
【００７２】
（１−７−２）第２部分
第２部分６４は、ロック部材６０がロック解除姿勢を採る場合、駆動ローラ３６を手前方向へと移動させることで、フィルタユニット３０をフィルタ使用位置から手前方向に引き出す。また、第２部分６４は、ロック部材６０がロック姿勢を採る場合、駆動ローラ３６を回転自在に支持部材５０に固定する。
【００７３】
具体的に、本実施形態に係る第２部分６４は、図９に示すように、突出部６１の根元部分であって、駆動ローラ３６の外周に沿って湾曲した形状を有している。そして、ロック部材６０がロック解除姿勢を採る場合には、第２部分６４は、駆動ローラ３６の回転軸Ｐ１と同一軸上ではない軸Ｐ２を中心として、回動することができる。
【００７４】
即ち、第２部分６４の回動軸Ｐ２の位置は、ロック部材６０の採り得る姿勢に関係なく、常に駆動ローラ３６の回転軸Ｐ１の位置とは異なっている。図９（ａ）では、ロック部材６０がロック姿勢を採る状態において、第２部分６４の回動軸Ｐ２が、駆動ローラ３６の回転軸Ｐ１よりも手前方向（即ち、フィルタユニット３０が押し出される方向）であって、且つ第２部分６４上に位置している場合を表している。
【００７５】
これにより、ロック部材６０がロック姿勢からロック解除姿勢に至った場合、第２部分６４が回動軸Ｐ２を中心として回転方向Ｒ１に回動することで、特に回動軸Ｐ２よりも回動方向の上流側にある第２部分６４の一部分６４ａによって駆動ローラ３６が手前方向へと押し出されることとなる（図９（ｂ））。そのため、図９（ｂ）に示すように、ロック部材６０が回転方向Ｒ１に回動し終えた頃には、駆動ローラ３６の回転軸Ｐ１と第２部分６４の回動軸Ｐ２との位置関係は、ロック姿勢時とは逆となり、駆動ローラ３６の回転軸Ｐ１は、第２部分６４の回動軸Ｐ２よりも手前方向側に位置することとなる。
【００７６】
以上より、フィルタユニット３０は、第２部分６４による駆動ローラ３６の手前方向への押し出し動作に伴い、手前方向へと押し出され、該ユニット３０の少なくとも一部分がロック部材６０上に載置されるようになる。
【００７７】
なお、第２部分６４による駆動ローラ３６の押し出し動作に伴う、フィルタユニット３０の手前方向への押し出し量（つまり、所定距離）は、駆動ローラ３６の半径、第２部分６４の形状、第２部分６４の回動軸Ｐ２の位置、駆動ローラ３６の回転軸Ｐ１と第２部分６４の回動軸Ｐ２との距離等により、適宜決定される。
【００７８】
（１−７−３）第３部分
第３部分６５は、図９（ｂ）に示すように、ロック部材６０がロック解除姿勢を採る場合に、駆動ローラ３６を保持するローラ保持部分である。つまり、第３部分６５とは、駆動ローラ３６の外周に沿って湾曲した形状を有する第２部分６４のうち、ロック解除姿勢時に駆動ローラ３６とフィルタ３１を介して接触することとなる内周部分を言う。
【００７９】
この第３部分６５は、ロック解除姿勢時、ロック部材６０が回動軸Ｐ２を中心として回動することで、フィルタユニット３０が第２部分６４によって手前方向へと押し出された際も、駆動ローラ３６を保持している。従って、第３部分６５は、第２部分６４が回動してロック部材６０が図９（ｂ）に示す姿勢を採る際、フィルタユニット３０が手前方向に過剰に引き出されるのを防止する役割を担っていると言うことができる。
【００８０】
（１−８）その他の構成
上述した他に、空調室内機１００は、空調室内機１００を構成する各種機器の制御を行う室内制御部（図示せず）を備えている。室内制御部は、ＣＰＵ及びメモリで構成されるマイクロコンピュータであって、ケーシング１１の前方部分に収まっている。例えば、室内制御部は、図示してはいないが、フラップ用モータ、室内ファンモータ、フィルタ用モータ３６ａ、及びブラシ用モータ４３と接続されている。室内制御部は、これらのモータの駆動制御を行うことで、水平フラップ２３の開閉制御や角度制御、室内ファン１５の風量制御、フィルタ３１の周回制御、ブラシ４２の回転制御等を行う。
【００８１】
（２）フィルタユニットの着脱方法
（２−１）フィルタユニットの装着方法
次に、ユーザが、メンテナンス後のフィルタユニット３０をケーシング１１に装着する方法について説明する。
【００８２】
まず、ユーザは、ケーシング１１の正面を構成する前面板１１ｂを、その上端を中心として上方向に回動させる。これにより、ケーシング１１の内部が露出することとなる。
【００８３】
次いで、ユーザは、フィルタユニット３０を、ケーシング１１内部の支持部材５０に沿うようにして、該ユニット３０の後側端部３０ｂをケーシング１１の正面側からケーシング１１内部へと差し込む。ユーザは、フィルタユニット３０の後側端部３０ｂが支持部材５０の後側端部５０ｃ付近に至るまで、支持部材５０の上面に沿ってフィルタユニット３０をスライドさせる。なお、フィルタユニット３０を装着させる前の状態では、ロック部材６０は、ロック解除姿勢且つ図９（ｂ）に示す姿勢となっている。
【００８４】
フィルタユニット３０の後側端部３０ｂが支持部材５０の後側端部５０ｃ付近に至り、フィルタユニット３０がフィルタ使用位置に位置すると、ユーザは、ロック部材６０の突出部６１をレバーとして用いて第２部分６４を回動軸Ｐ２を中心として回動方向Ｒ２へと回動させる。
【００８５】
これにより、ロック部材６０は、図９（ａ）に示す姿勢となり、ロック部材６０の第１部分６３はフィルタ３１を支持部材５０側に押さえる。従って、フィルタユニット３０は、ロック部材６０によって支持部材５０にロックした状態となる。
【００８６】
その後、ユーザは、ケーシング１１の前面板１１ｂが、図１，２に示されるように正面を覆う状態となるまで下方向に回動させる。
【００８７】
（２−２）フィルタユニットの取り外し方法
次に、ユーザが、フィルタユニット３０をケーシング１１から取り外す方法について説明する。
【００８８】
まず、ユーザは、ケーシング１１の前面板１１ｂを、その上端を中心として上方向に回動させる。これにより、ケーシング１１の内部が露出することとなる。
【００８９】
次いで、ユーザは、ロック部材６０の突出部６１レバーとして用いて第２部分６４を回動軸Ｐ２を中心として回動方向Ｒ１へと回動させる。即ち、ユーザは、第２部分６４を、上記（２−１）の場合とは逆方向へと回動させる。すると、ロック部材６０は、ロック解除姿勢を採る。これにより、第１部分６３は、フィルタ３１から離れて、フィルタユニット３０を押さえることを解除する。第２部分６４は、回動方向Ｒ１への回動により、駆動ローラ３６を手前方向へと押し出す。駆動ローラ３６の回転軸Ｐ１は、第２部分６４の回動軸Ｐ２よりも手前方向側に位置することとなり、フィルタユニット３０の少なくとも一部分は、ロック部材６０上に載置される。この時、ロック部材６０の第３部分６５は、駆動ローラ３６を保持した状態を保つ。
【００９０】
次いで、ユーザは、ロック部材６０上に載置されているフィルタユニット３０を、該ユニット３０の取っ手３５ｂを持って更に手前方向に引っ張り出す。フィルタユニット３０は、既に一部分がロック部材６０上に載置されている状態のため、ユーザは、簡単にフィルタユニット３０を手前方向に引っ張ることができる。
【００９１】
フィルタユニット３０を完全にケーシング１１から取り外した状態にて、フィルタユニット３０の取り出し動作が完了する。
【００９２】
（３）特徴
（３−１）
本実施形態に係るロック部材６０は、ロック姿勢を採る場合に、フィルタユニット３０を支持部材５０側に押さえる第１部分６３と、ロック解除姿勢を採る場合に、駆動ローラ３６を手前方向へと移動させることで、フィルタユニット３０をフィルタ使用位置から手前方向に引き出す第２部分６４とを有している。これにより、ロック部材６０がロック姿勢を解除すると、第２部分６４によって駆動ローラ３６が手前方向へと押し出されるのに伴い、フィルタユニット３０自体が手前方向に自動で移動してくる。従って、例えばフィルタ３１のメンテナンス時、フィルタ３１と駆動ローラ３６とで構成されるフィルタユニット３０をケーシング１１から取り出し易くなる。
【００９３】
（３−２）
また、第１部分６３は、ロック部材６０がロック解除姿勢を採る場合、フィルタユニット３０を押さえることを解除する。第２部分６４は、ロック部材６０がロック姿勢を採る場合、駆動ローラ３６を回転自在に支持部材５０に固定する。これにより、ロック部材６０がロック姿勢を採る場合には、駆動ローラ３６は支持部材５０に対して移動を禁止された状態で回転するため、例えば自動清掃運転時には、フィルタ３１を支持部材５０上にて移動させることができる。一方、ロック部材６０がロック解除姿勢を採る場合には、第１部分６３はフィルタユニット３０を押さえなくなるため、第２部分６４によって確実にフィルタユニット３０は手前方向へと引き出されるようになる。
【００９４】
（３−３）
また、本実施形態に係るロック部材６０は、ロック解除姿勢を採る場合に、駆動ローラ３６を保持する第３部分６５を更に有している。これにより、フィルタユニット３０取り出しの際、フィルタユニット３０は、手前方向に過剰に引き出されることなく、適切な量引き出された状態を保つことができる。
【００９５】
（３−４）
特に、本実施形態に係る第２部分６４は、図９に示すように、駆動ローラ３６の外周に沿って湾曲した形状を有している。そして、第２部分６４は、ロック部材６０がロック解除姿勢を採る場合、フィルタユニット３０がフィルタ使用位置にある時の駆動ローラ３６の回転軸Ｐ１と同一軸上ではない回動軸Ｐ２を中心として回動することで、駆動ローラ３６を手前方向へと押し出す。このように、本実施形態では、簡単な構成により、フィルタユニット３０を、確実に手前方向に引き出すことができる。
【００９６】
（３−５）
また、本実施形態においては、ロック部材６０がロック姿勢を採る場合、第２部分６４の回動軸Ｐ２は、駆動ローラ３６の回転軸Ｐ１よりも手前方向に位置している。そのため、ロック部材６０がロック解除姿勢を採る時、駆動ローラ３６は、確実に手前方向に押し出されるようになる。
【００９７】
（３−６）
また、本実施形態に係る空調室内機１００は、環形状のフィルタ３１においても、適用することができる。この場合、駆動ローラ３６は、フィルタ３１の折り返し部分においてフィルタ３１に掛け渡されるようにして位置している。
【００９８】
（３−７）
また、本実施形態に係る駆動ローラ３６は、回転によってフィルタ３１を移動させるための力を、フィルタ３１に作用させている。そのため、フィルタ３１は、駆動ローラ３６によって容易に移動することができる。
【００９９】
（４）変形例
以上、本発明の実施形態について図面に基づいて説明したが、具体的な構成は、発明の要旨を逸脱しない範囲で以下のように変更可能である。
【０１００】
（４−１）変形例Ａ
上記実施形態では、フィルタ３１に接触しつつフィルタ３１を折り返す構成要素として、駆動ローラ３６が採用された場合について説明した。従って、駆動ローラ３６の回転により、フィルタ３１には、フィルタ３１を移動させるための力が作用されていた。
【０１０１】
しかし、フィルタ３１に接触しつつフィルタ３１を折り返す構成要素は、例えばギア等の単なる回転体であってもよい。即ち、フィルタ３１を移動させるための力をフィルタ３１に作用させることはできないが、単にフィルタ３１に接触してフィルタ３１を折り返すものが、駆動ローラ３６の代わりに採用されてもよい。
【０１０２】
（４−２）変形例Ｂ
上記実施形態では、図６〜９に示すように、ロック部材６０が突出部６１と延設部６２とで構成される形状を有している場合について説明した。しかし、本発明に係るロック部材は、図６〜９に示す形状に限定されず、例えば突出部６１のみで構成される形状であってもよい。即ち、本発明に係るロック部材は、ロック姿勢を採る場合にフィルタユニット３０を支持部材５０側に押さえる第１部分６３と、ロック解除姿勢を採る場合にフィルタユニット３０をフィルタ使用位置から手前方向に引き出す第２部分６４とを少なくとも有する構成であれば、どのような形状を有していても良い。
【０１０３】
（４−３）変形例Ｃ
上記実施形態では、図９に示すように、第２部材６４の回動軸Ｐ２が第２部材６４上に位置している場合について説明した。しかし、本発明に係る回動軸Ｐ２は、駆動ローラ３６の回転軸Ｐ１と同一軸上ではない位置にあればよく、第２部材６４上になくてもよい。
【０１０４】
（４−４）変形例Ｄ
上記実施形態では、環形状のフィルタ３１が採用されている場合について説明した。しかし、本発明に係るフィルタは、環形状ではなく、少なくとも一部分がローラに接触しつつ折り返されているような形状であってもよい。
【産業上の利用可能性】
【０１０５】
本発明によれば、ユーザは、フィルタユニットをケーシングから簡単に取り出すことができる。そのため、本発明に係る空調室内機は、ケーシングに対して着脱式のフィルタを備える空気調和装置の室内機において適用することができる。
【符号の説明】
【０１０６】
１００  空調室内機
１１  ケーシング
１１ａ  天面板
１１ｂ  前面板
１１ｃ  背面板
１３  室内熱交換器
１３ａ  前側熱交換部
１３ｂ  後側熱交換部
１３ｃ  頂点
１５  室内ファン
２１  吸込口
２２  吹出口
２３  水平フラップ
３０  フィルタユニット
３１  フィルタ
３２  メインフレーム
３５ｂ  取っ手
３６  駆動ローラ
３６ａ  フィルタ用モータ
４０  清掃ユニット
４１  清掃ユニット用フレーム
４２  ブラシ
４２ａ  ブラシ用モータ
４２ｂ  芯材
４２ｃ  線材
４３  ブラシ清掃部
４４  塵埃受け部
４５  圧縮ローラ
５０  支持部材
５０ａ  支持部材の前側部分
５０ｂ  支持部材の後側の部分
５０ｃ  支持部材の後側端部
５１  仕切部
５２  支持部材の左側部分
５２ａ，５２ｂ  支持部材の左側部分の左右方向における端部
５３  支持部材の右側部分
５３ａ，５３ｂ  支持部材の右側部分の左右方向における端部
６０  ロック部材
６１  突出部
６２  延設部
６３  第１部分
６４  第２部分
６５  第３部分（ローラ保持部分）
Ｐ１  駆動ローラの回転軸
Ｐ２  第２部分の回動軸
【先行技術文献】
【特許文献】
【０１０７】
【特許文献１】特開２０１１−８０６３５号公報
【図１】
2013242064.tif 000003
【図２】
2013242064.tif 000004
【図３】
2013242064.tif 000005
【図４】
2013242064.tif 000006
【図５】
2013242064.tif 000007
【図６】
2013242064.tif 000008
【図７】
2013242064.tif 000009
【図８】
2013242064.tif 000010
【図９】
2013242064.tif 000011